(57)【要約】【課題】簡単な構造で、２つの蓋部材をロック可能な包装箱を得る。【解決手段】上面側蓋板６４が上面側開口部４８を閉塞し、且つ、後面側蓋板６８が後面側開口部３０を閉塞した状態で、上面側蓋板６４の先端辺６４Ｔ及び折り目ＦＬ３と、折り目ＦＬ５とが接触し、共通稜７０となる。共通稜７０には、ロック片７４及びロック孔７６が設けられており、上面側蓋板６４及び後面側蓋板６８の双方を、回動不能にロックすることができる。【選択図】　　　　図１
2004075117.tif 000002
【特許請求の範囲】
【請求項１】
被包装物を包装可能で、被包装物を出し入れする複数の開口部が形成された箱本体と、
複数の前記開口部の少なくとも２つに対応して箱本体に回動可能に設けられ、回動中心となる辺以外の辺が共通稜とされた２つの蓋部材と、
少なくとも一方の前記蓋部材の共通稜に設けられ、他方の蓋部材との間で２つの蓋部材を開放不能にロックするロック部材と、
を有することを特徴とする包装箱。
【請求項２】
前記共通稜が、前記蓋部材のそれぞれの回動先端側の辺とされていることを特徴とする請求項１に記載の包装箱。
【請求項３】
前記ロック部材が、一方の蓋部材に設けられたロック片と、他方の蓋部材に設けられ前記ロック片が挿入されるロック孔と、
を含んで構成されていることを特徴とする請求項１又は請求項２に記載の包装箱。
【請求項４】
前記箱本体内に、２つの前記蓋部材のいずれかに対応した少なくとも２つの収納スペースが構成されるように箱本体内を仕切る仕切部材、が設けられていることを特徴とする包装箱。
【発明の詳細な説明】
【０００１】
【発明の属する技術分野】
本発明は、包装箱に関する。
【０００２】
【従来の技術】
従来の包装箱としては、たとえば、特開２００１−２７８２５１号公報に記載された包装箱がある。
【０００３】
この包装箱では、包装箱本体に対し蓋が一側縁のヒンジ部を支点として開閉されるようになっている。また、この包装箱では、蓋を閉めるときには、蓋側の第１の挿入片を包装箱本体側の第１の被挿入部に挿入して嵌合させ、さらに蓋が閉じた状態で、包装箱本体側の第２の挿入片の先端部を蓋側の第２の被挿入部に挿入して嵌合させ、この二重の嵌合によって、包装箱本体に対し蓋を確実にロックした状態を保持する構造となっている。
【０００４】
ところで、このような包装箱に包装される被包装物の種類によっては、包装箱本体の２面に対応して蓋を設け、被包装物の取り出しを容易にすることが好ましい。たとえば、２つ以上の被包装物を包装箱で包装する場合には、包装箱の２面に対応して設けたそれぞれの蓋を開放すると、被包装物の取り出しが容易になる。したがって、上記した包装箱において、蓋に対応した面以外の面にも、開閉可能な蓋を設ける構成が考えられる。
【０００５】
しかし、単に蓋を２つ設けると、蓋のそれぞれに対応して、ロック機構が必要になるため、包装箱の構造が複雑になる。
【０００６】
【発明が解決しようとする課題】
本発明は、上記事実を考慮し、簡単な構造で、２つの蓋部材をロック可能な包装箱を得ることを課題とする。
【０００７】
【課題を解決するための手段】
請求項１に記載の発明では、被包装物を包装可能で、被包装物を出し入れする複数の開口部が形成された箱本体と、複数の前記開口部の少なくとも２つに対応して箱本体に回動可能に設けられ、回動中心となる辺以外の辺が共通稜とされた２つの蓋部材と、少なくとも一方の前記蓋部材の共通稜に設けられ、他方の蓋部材との間で２つの蓋部材を開放不能にロックするロック部材と、を有することを特徴とする。
【０００８】
すなわち、この包装箱では、箱本体の少なくとも２つの開口部に対応して２つの蓋部材が設けられているので、これら蓋部材を回動させて開口部を開放し、箱本体に包装された被包装物を容易に出し入れすることができる。
【０００９】
２つの蓋部材には、ロック部材が設けられている。ロック部材によって２つの蓋部材を開放不能にロックすることで、蓋部材の不用意な開放を阻止できる。
【００１０】
また、２つの蓋部材では、回動中心となる辺以外の辺が共通稜とされている。この共通稜とは、蓋部材のそれぞれの辺あるいは折り目が、２つの蓋部材で接触して稜となっている箇所をいい、この共通稜に、ロック部材が設けられている。１つのロック部材のみで、２つの蓋部材を回動不能にロックできるので、２つの蓋部材のそれぞれに対応してロック部材を設けた構成と比較して、包装箱の構造が簡単になるとともに、蓋部材の開け閉めの利便性も向上する。
【００１１】
請求項２に記載の発明では、請求項１に記載の発明において、前記共通稜が、前記蓋部材のそれぞれの回動先端側の辺とされていることを特徴とする。
【００１２】
したがって、共通稜に設けられたロック部材も、蓋部材のそれぞれの回動先端側の辺に位置していることになる。このため、蓋部材をより確実にロックすることができる。
【００１３】
請求項３に記載の発明では、請求項１又は請求項２に記載の発明において、前記ロック部材が、一方の蓋部材に設けられたロック片と、他方の蓋部材に設けられ前記ロック片が挿入されるロック孔と、を含んで構成されていることを特徴とする。
【００１４】
ロック片をロック孔に挿入するだけの簡単な操作で、２つの蓋部材を開放不能にロックすることができる。２つの蓋部材を１つの操作でロックできるので、包装箱の使い勝手も向上する。ロック片及びロック孔は、それぞれの蓋部材と一体的に形成することも可能であり、これによって、部品点数の増加や構造の複雑化を防止することもできる。
【００１５】
請求項４に記載の発明では、請求項１〜請求項３のいずれかに記載の発明において、前記箱本体内に、２つの前記蓋部材のいずれかに対応した少なくとも２つの収納スペースが構成されるように箱本体内を仕切る仕切部材、が設けられていることを特徴とする。
【００１６】
箱本体内に、仕切部材によって少なくとも２つの収納スペースが構成されるので、たとえば、複数種の被包装物を区別して収納すること等が可能になり、包装箱の利便性が向上する。
【００１７】
しかも、収納スペースは、２つの蓋部材のいずれかに対応しているので、対応している蓋部材を開放して、収納スペースに収納された被包装物を取り出すことができる。
【００１８】
【発明の実施の形態】
図１〜図３には、本発明の第１実施形態の包装箱１２が斜視図にて示されている。また、図４〜図６には、包装箱１２が断面図にて示されている。この包装箱１２は、複数種の被包装物５２、５４、５６を包装するために使用されるものであり、段ボール等により構成されている。被包装物５２、５４、５６としては、たとえばデジタルスチルカメラ（トレイに収納されている場合もある）と取扱説明書、及び付属品（バッテリーチャージャー、ＡＣアダプター、クレードルなど）を挙げることができる。
【００１９】
包装箱１２は、箱本体１４を備えている。箱本体１４は、四角形の筒状に形成されており、底板１６、天板１８、側板２０、２２を有している。箱本体１４の前面及び後面は開放されており、それぞれ、前面側開口部２８、後面側開口部３０となっている。なお、図面において、包装箱１２の前方向を矢印Ｆで、後方向を矢印Ｒで、幅方向を矢印Ｗでそれぞれ示す。
【００２０】
なお、箱本体１４をこのように四角形の筒状に形成する具体的方法は特に限定されないが、たとえば、側板２０から天板１８、側板２２及び底板１６へと一体的に連接されるように段ボールを型取りし、底板１６に設けた継ぎしろ（図示省略）を側板２０に糊付けすることで、箱本体１４を構成できる。
【００２１】
側板２０、２２にはそれぞれフラップ２４、２６が一体的に連接されており、後述する前面側蓋板６２又は後面側蓋板６８によってそれぞれ前面側開口部２８又は後面側開口部３０を閉塞するときに、これら蓋板の内側に折り込まれる。
【００２２】
天板１８には、図１に示すように、前面側から２本の切りこみ３２が入れられており、これらの切りこみ３２の間に切り残された第１連接部３４を介して、第１仕切板３６が一体的に連接されている。図４にも示すように、第１仕切板３６は、天板１８の下面と面接触するように後方に向かって折り込まれ、さらに、後面側開口部３０に至る略中間部分から下方に折り曲げられている。
【００２３】
図１及び図４から分かるように、第１仕切板３６の幅方向中央部分は、折り曲げられることなく下方に延出され、下端辺３６Ｂが底板１６に接触している。したがって、第１仕切板３６により、箱本体１４の内部が前後２つの収納スペースに仕切られている。
【００２４】
第１仕切板３６の幅方向両側部分は第２連接部４０を介して前面側に延長されており、第２仕切板３８が構成されている（すなわち、第２仕切板３８は、第２連接部４０を介して、第１仕切板３６と一体的に連接されている）。そして、第１仕切板３６によって構成された２つの収納スペースの一方（前面側の収納スペース）が、第２仕切板３８によってさらに上下に仕切られることで、箱本体１４内に、３つの収納スペース４２、４４、４６が構成されている。これら３つの収納スペース４２、４４、４６には、それぞれ異なる被包装物５２、５４、５６が収納される。また、第２仕切板３８の上方の収納スペース４２に対応して、上記した２本の切りこみ３２の間に、天板１８の中央から前面側に開放された上面側開口部４８が構成されている。
【００２５】
第２仕切板３８の幅方向両端は、それぞれ側板２０、２２に内側から接触しており、さらに接触部分から、支持板５０が一体的に連接されている。支持板５０は、下方に向かって折り曲げられて、その下端が底板１６に上側から接触している。支持板５０は、第２仕切板３８をこの幅方向両端において支持しており、また、第１仕切板３６も、その下端辺３６Ｂから第２連接部４０までの部分で、第２仕切板３８を支持している。これらにより、第２仕切板３８は、底板１６から一定距離で、且つ底板１６と平行な姿勢を維持できるようになっている。
【００２６】
図６に示すように、第２仕切板３８に対し前面側へ引き出す方向の力を作用させると、これに伴って第２連接部４０も前面側へ移動しようとするが、第１連接部３４はその位置を変化させない。ここで、第１仕切板３６は上記したように、第１連接部３４から一旦後方へ折り返し、さらに下方へ折り曲げる形状とされているので、第１連接部３４から第２連接部４０までの距離Ｌを伸縮させることができる。したがって、第２仕切板３８を上下に移動させることなく、その板面に沿った方向（矢印Ｆ方向又は矢印Ｒ方向）にスライドさせることが可能になっている（これに対し、第１仕切板３６が、第１連接部３４と第２連接部４０とを直線的に結ぶ形状とされていると、第２連接部４０の移動軌跡は第１連接部３４を中心とした円弧状となるので、第２仕切板３８を前面側へ引き出そうとすると、上方へも移動する）。
【００２７】
なお、上記のようにして第２仕切板３８を引き出すと、図６から分かるように、第１仕切板３６のうち、第２連接部４０よりも底板１６側の部分が傾斜しつつ前面側に移動し、収納スペース４４に収納されていた被包装物５４を押し出す。
【００２８】
図１に示すように、底板１６からは、前面側又は後面側に向かって、蓋構成部材５８、６０が一体的に連接されている。前面側の蓋構成部材５８は、折り目ＦＬ１、ＦＬ２によって、箱本体１４から順に前面側蓋板６２、上面側蓋板６４とされ、さらに、上面側蓋板６４の幅方向中央から、折り目ＦＬ３を介して差し込み片６６が一体的に連接されている。図３に示すように、前面側蓋板６２は、箱本体１４の前面側開口部２８をカバー可能な形状とされ、さらに、上面側蓋板６４は、箱本体１４の天板１８の上方から、上面側開口部４８をカバー可能な形状とされている。折り目ＦＬ２を中心として回動させることで、上面側開口部４８を開閉することができる。また、折り目ＦＬ１を中心として回動させることで、前面側開口部２８を開閉することができる。
【００２９】
図１に示すように、後面側の蓋構成部材６０は、折り目ＦＬ４、ＦＬ５によって、箱本体１４から順に後面側蓋板６８及び差し込み板７８とされている。図３に示すように後面側蓋板６８は、箱本体１４の後面側開口部３０をカバー可能な形状とされており、折り目ＦＬ４を中心として回動させることで、後面側開口部３０を開閉することができる。また、差し込み板７８は、箱本体１４の内側（天板１８の下側）に差し込まれる。そして、図３から分かるように、上面側蓋板６４が上面側開口部４８を閉塞し、且つ、後面側蓋板６８が後面側開口部３０を閉塞した状態で、上面側蓋板６４の先端辺６４Ｔ及び折り目ＦＬ３と、折り目ＦＬ５とが接触しており、本発明における共通稜７０となっている。
【００３０】
折り目ＦＬ５の中央には、上面側蓋板６４の差し込み片６６が差し込まれる差し込み孔７２が形成されている。さらに、差し込み孔７２の中央には、後面側蓋板６８から折り目ＦＬ６を介して、ロック片７４が一体的に連接されている。これに対し、上面側蓋板６４と差し込み板６６との折り目ＦＬ３には、ロック片７４が挿入されるロック孔７６が形成されている。したがって、本発明のロック部材を構成するロック片７４及びロック孔７６が、共通稜７０に設けられていることになる。上面側蓋板６４が上面側開口部４８を閉塞し、後面側蓋板６８が後面側開口部３０を閉塞した状態で、差し込み板７８を箱本体１４の内側（天板１８の下側）に差し込む。そして、差し込み片６６を差し込み孔７２に差し込み、さらに、ロック片７４をロック孔７６に挿入することで、上面側蓋板６４及び後面側蓋板６８の双方を、開放不能にロックすることができる。
【００３１】
次に、本実施形態の包装箱１２の作用を説明する。
【００３２】
図４及び図５に示すように、本実施形態の包装箱１２では、箱本体１４内に、第１仕切板３６及び第２仕切板３８によって、３つの収納スペース４２、４４、４６が構成されている。したがって、これらの収納スペース４２、４４、４６に、それぞれ異なる被包装物５２、５４、５６を収納することができる。もちろん、場合によっては、収納スペース４２、４４、４６のすべてに被包装物を収納する必要はない。
【００３３】
また、本実施形態の包装箱１２では、前面側蓋板６２及び上面側蓋板６４により、それぞれ前面側開口部２８及び上面側開口部４８が閉塞され、さらに、後面側蓋板６８により、後面側開口部３０が閉塞される（図３参照）。そして、差し込み片６６が差し込み孔７２に差し込まれ、さらに、ロック片７４がロック孔７６に差し込まれる。以上により、被包装物５２、５４、５６の包装が完了する。この状態で、包装箱１２は、差し込み板７８が天板１８の下側に差し込まれて箱状（直方体状）になり、蓋構成部材５８、６０の双方とも、ロック部材（ロック孔７６及びロック片７４）によって開放不能にロックされるので、被包装物５２、５４、５６が外部に出てしまうことはない。
【００３４】
被包装物５２、５４、５６を取り出すときは、まず、ロック片７４をロック孔７６から抜き、さらに差し込み片６６を差し込み孔７２から抜く。ここで、たとえば、収納スペース４６の被包装物５６を取り出す場合には、図４に示すように、上面側蓋板６４を僅かに上方に回動させて差し込み板６６を差し込み孔７２から抜き、さらに後面側蓋板６８を回動させて後面側開口部３０を開放する。
【００３５】
これに対し、収納スペース４２の被包装物５２を取り出す場合には、図５に示すように、折り目ＦＬ２を中心として上面側蓋板６４のみを回動させて上面側開口部４８のみを開放してもよいが、図６に示すように、さらに前面側蓋板６２を回動して、前面側開口部２８を開放させると、被包装物５２の取り出しが容易になる。また、収納スペース４４の被包装物５４を取り出す場合にも、前面側蓋板６２を回動して前面側開口部２８を開放する。
【００３６】
ここで、さらに、第２仕切板３８を、前面側に向かって引き出すことも可能である。これにより、第２仕切板３８に載置された収納スペース４２の被包装物５２は、第２仕切板３８と共に箱本体１４の外部に出るので、取り出しがさらに容易になる。また、底板１６に載置された収納スペース４４の被包装物５４は、第１仕切板３６の下部によって押されて箱本体１４の外部に出るので、取り出しがさらに容易になる。
【００３７】
以上の説明から分かるように、本実施形態の包装箱１２では、共通稜７０に設けたロック部材によって、上面側蓋板６４と後面側蓋板６８との双方を閉状態で開放不能にロックでき、これらの不用意な開放を確実に阻止できる。しかも、上面側蓋板６４と後面側蓋板６８のそれぞれにロックのための部材を設けたものと比較して、部品形状が簡単になると共に、上面側蓋板６４と後面側蓋板６８の開け閉めの操作も容易になる。
【００３８】
加えて、図１からも分かるように、蓋構成部材５８、６０が、底板１６を介して一方向に連続して構成されており、蓋構成部材５８、６０にずれが生じることがない。また、こららの間に継ぎ目もないので、デザイン上の自由度も高くなる。
【００３９】
なお、本発明の包装箱における蓋部材の構成は、上記したものに限定されない。たとえば、上記の前面側蓋板６２をは回動不能としてもよい。また、箱本体１４と別体で形成した蓋部材を、箱本体１４に対し回動可能に取り付ける構成でもよいが、特に、本実施形態の蓋構成部材５８、６０ように、箱本体１４から一体的に連接されていると、包装箱１２を構成する部品点数が少なくなると共に、包装箱１２の組み立ても簡単になるので、好ましい。
【００４０】
さらに、上記では、上面側蓋板６４の先端辺６４Ｔと、後面側蓋板６８の先端辺（折り目ＦＬ５）とを共通稜７０とする構成としたが、共通稜が、回動中心の辺と直交する辺とされているように蓋板を構成してもよい。そして、ロック部材（ロック孔７６及びロック片７４）の位置は、ロックの対象となる蓋部材の構成に応じて、適切な位置とすることが可能である。特に、本実施形態のように、それそれの蓋部材の回動先端側にロック部材を設けると、より確実にロックできるので、好ましい。
【００４１】
さらに、本発明のロック部材としても、上記のロック孔７６及びロック片７４で構成されている必要はないが、このような構成とすることで、ロック部材の構造が簡単になり、好ましい。
【００４２】
また、本発明の包装箱としては、必ずしも箱本体１４内に複数の収納スペースが構成されている必要はない。
【００４３】
図７には、箱本体１４内に１つの収納スペースのみが構成された、本発明の第２実施形態の包装箱８２が示されている。第２実施形態において、第１実施形態と同一の構成要素、部材等については、同一符号を付して、その詳細な説明を省略する。
【００４４】
この包装箱８２では、箱本体１４の天板１８から第１仕切板３６及び第２仕切板３８は連接されておらず、これらに代えて、天板１８の中央に、上面側開口部８４が形成されている。したがって、包装箱８２内は、１つの収納スペース８６のみが構成され、この収納スペース８６に対し、上面側開口部８４、前面側開口部２８及び後面側開口部３０のいずれからでも、被包装物を出し入れできる。
【００４５】
このような構成とされた第２実施形態の包装箱８２においても、第１実施形態の包装箱１２と同様に、共通稜７０に設けたロック部材によって、上面側蓋板６４と後面側蓋板６８との双方を閉状態で開放不能にロックでき、これらの不用意な開放を確実に阻止できる。また、上面側蓋板６４と後面側蓋板６８のそれぞれにロックのための部材を設けたものと比較して、部品形状が簡単になると共に、上面側蓋板６４と後面側蓋板６８の開け閉めの操作も容易になる。
【００４６】
上記説明では、包装箱１２が段ボールで構成されているものを例に挙げたが、本発明の包装箱の材料は、段ボールに限定されない。
【００４７】
また、本発明の包装箱によって包装される被包装物としても、上記したデジタルスチルカメラやその付属品、及び取扱説明書に限定されない。
【００４８】
【発明の効果】
本発明は上記構成としたので、簡単な構造で、２つの蓋部材をロックすることが可能となる。
【図面の簡単な説明】
【図１】本発明の第１実施形態の包装箱を示す斜視図である。
【図２】本発明の第１実施形態の包装箱を示す斜視図である。
【図３】本発明の第１実施形態の包装箱を示す斜視図である。
【図４】本発明の第１実施形態の包装箱を示す断面図である。
【図５】本発明の第１実施形態の包装箱を示す断面図である。
【図６】本発明の第１実施形態の包装箱を示す断面図である。
【図７】本発明の第２実施形態の包装箱を示す斜視図である。
【符号の説明】
１２　　包装箱
１４　　箱本体
２８　　前面側開口部（開口部）
３０　　後面側開口部（開口部）
３６　　第１仕切板（仕切部材）
３８　　第２仕切板（仕切部材）
４２　　収納スペース
４４　　収納スペース
４６　　収納スペース
４８　　上面側開口部（開口部）
５２　　被包装物
５４　　被包装物
５６　　被包装物
６４　　上面側蓋板（蓋部材）
６８　　後面側蓋板（蓋部材）
７０　　共通稜
７４　　ロック片（ロック部材）
７６　　ロック孔（ロック部材）
８２　　包装箱
８４　　上面側開口部（開口部）
８６　　収納スペース
【図１】
2004075117.tif 000003
【図２】
2004075117.tif 000004
【図３】
2004075117.tif 000005
【図４】
2004075117.tif 000006
【図５】
2004075117.tif 000007
【図６】
2004075117.tif 000008
【図７】
2004075117.tif 000009